(57)【要約】【課題】サーバーとＰＯＳ端末とが通信不能になった場合は、個々のＰＯＳ端末が記憶する売上データを統合的に管理できず、集計された売上データを容易に得ることができなかった。【解決手段】第１のＰＯＳ端末は、第２のＰＯＳ端末と通信可能な通信部と、第２のＰＯＳ端末が取得する第２の売上データを、第２のＰＯＳ端末から受領する売上データ受領部と、売上データを記憶する記憶部と、第１のＰＯＳ端末が取得する第１の売上データおよび第２の売上データを記憶部に記憶して管理する売上データ管理部と、を備える。【選択図】図２
2017102703.tif 000002
【特許請求の範囲】
【請求項１】
売上データを取得するＰＯＳ端末であって、
第１の前記ＰＯＳ端末は、
第２の前記ＰＯＳ端末と通信可能な通信部と、
前記第２の前記ＰＯＳ端末が取得する第２の前記売上データを、前記第２の前記ＰＯＳ端末から受領する売上データ受領部と、
前記売上データを記憶する記憶部と、
前記第１の前記ＰＯＳ端末が取得する第１の前記売上データおよび前記第２の前記売上データを前記記憶部に記憶して管理する売上データ管理部と、を備えることを特徴とするＰＯＳ端末。
【請求項２】
請求項１において、
前記第１の前記ＰＯＳ端末は、前記売上データを管理するデータベースを作成するデータベース作成部を備え、
前記売上データ管理部は、前記データベースに基づいて、前記第１の前記売上データと前記第２の前記売上データとを統合して、売上記録であるジャーナルデータとして前記記憶部に記憶し管理することを特徴とするＰＯＳ端末。
【請求項３】
請求項２において、
前記第１の前記ＰＯＳ端末は、
前記通信部により印刷装置と通信可能に接続され、
前記印刷装置に対して前記ジャーナルデータを印刷させる印刷コマンドを送信することを特徴とするＰＯＳ端末。
【請求項４】
請求項１から３のいずれか一項において、
前記第１の前記ＰＯＳ端末は、前記通信部を介して、
前記第２の前記ＰＯＳ端末に対して、前記第２の前記売上データの返信を要求する問合せコマンドを送信し、
前記問合せコマンドに基づき前記第２の前記ＰＯＳ端末から返信される前記第２の前記売上データを受領することを特徴とするＰＯＳ端末。
【請求項５】
請求項１から４のいずれか一項において、
前記第２の前記売上データには、顧客ＩＤ、販売された商品名、数量、および販売日時が含まれることを特徴とするＰＯＳ端末。
【請求項６】
売上データを取得するＰＯＳ端末の制御方法であって、
第１の前記ＰＯＳ端末が、
第２の前記ＰＯＳ端末と通信するステップと、
前記第２の前記ＰＯＳ端末が取得する第２の前記売上データを、前記第２の前記ＰＯＳ端末から受領するステップと、
前記第１の前記ＰＯＳ端末が取得する第１の前記売上データおよび前記第２の前記売上データを記憶部に記憶し管理するステップと、を含むことを特徴とするＰＯＳ端末の制御方法。
【請求項７】
売上データを取得する複数のＰＯＳ端末と、前記売上データに基づき作成されるジャーナルデータを印刷する印刷装置と、を含んで構成されるＰＯＳシステムであって、
前記複数のＰＯＳ端末および前記印刷装置は、ネットワークを介して互いに通信可能に接続され、
前記印刷装置は、前記複数のＰＯＳ端末の内から第１のＰＯＳ端末を指定し、前記第１のＰＯＳ端末からの印刷コマンドに基づいて前記ジャーナルデータを印刷し、
前記第１のＰＯＳ端末は、前記複数のＰＯＳ端末の内の第２のＰＯＳ端末から前記売上データを取得して前記ジャーナルデータを作成することを特徴とするＰＯＳシステム。
【発明の詳細な説明】
【技術分野】
【０００１】
本発明は、売上情報などを管理するためのＰＯＳ（Point  Of  Sales）端末、ＰＯＳ端末の制御方法、およびＰＯＳシステムに関する。
【背景技術】
【０００２】
従来、例えば、レストランなどにおいては、注文を受けた時、注文の内容は、携帯型ＰＯＳ端末に入力され注文データとして記憶される。また、小売店においては、商品が売れた時、商品に付けられたバーコードなどがＰＯＳ端末で読み取られて、商品情報が、ＰＯＳ端末に販売データとして記憶される。これら個々のＰＯＳ端末に記憶された売上データとしての注文データや販売データは、インターネット網を介してＰＯＳ端末と通信可能に接続された外部サーバーやクラウドサーバーに送られて管理される。外部サーバーまたはクラウドサーバーは、複数のＰＯＳ端末から送られる複数の売上データを統合的に管理する。そのため、外部サーバーまたはクラウドサービスと印刷装置とを接続して、適宜統合された売上データを印刷することができる（例えば、特許文献１参照）。
【先行技術文献】
【特許文献】
【０００３】
【特許文献１】特開２００８−２０３９９０号公報
【発明の概要】
【発明が解決しようとする課題】
【０００４】
しかしながら、インターネット網の切断やサーバーのオーバーロードなどのため、外部サーバーまたはクラウドサーバーとＰＯＳ端末とが通信不能になった場合は、個々のＰＯＳ端末が記憶する売上データを外部サーバーまたはクラウドサーバーに送ることができない。そのため、売上データを統合的に管理することができず、個々のＰＯＳ端末が売上データをばらばらに記憶しておくことしかできなかった。その結果、例えば、レストランにおいて、一組の顧客から受けた注文が別々の携帯型ＰＯＳ端末に入力された場合などでは、会計時にその顧客に対する売上記録としてのジャーナルデータ（集計された売上データ）を容易に得ることができなかった。そのため、顧客を待たせた上、レストランのスタッフによる集計作業などの負担が発生するという課題があった。あるいは、レストランの総売上記録としてのジャーナルデータ（売上履歴）の作成にも多大な時間がかかるという課題があった。
【課題を解決するための手段】
【０００５】
本発明は、上述の課題の少なくとも一部を解決するためになされたものであり、以下の形態または適用例として実現することが可能である。
なお、本明細書中においては、売上データに基づく売上記録を総称してジャーナルデータと称する。そのため、特定の顧客に対して集計された売上記録および店舗などにおける所定期間の売上履歴を示す総売上記録などもジャーナルデータと呼ぶことがある。
【０００６】
（適用例１）売上データを取得するＰＯＳ端末であって、第１の前記ＰＯＳ端末は、第２の前記ＰＯＳ端末と通信可能な通信部と、前記第２の前記ＰＯＳ端末が取得する第２の前記売上データを、前記第２の前記ＰＯＳ端末から受領する売上データ受領部と、前記売上データを記憶する記憶部と、前記第１の前記ＰＯＳ端末が取得する第１の前記売上データおよび前記第２の前記売上データを前記記憶部に記憶して管理する売上データ管理部と、を備えることを特徴とするＰＯＳ端末。
【０００７】
本適用例によれば、第１のＰＯＳ端末は、通信部を介して第２のＰＯＳ端末（他のＰＯＳ端末）と通信し第２のＰＯＳ端末の売上データ（第２の売上データ）を受領して、第１のＰＯＳ端末の売上データ（第１の売上データ）と第２のＰＯＳ端末の売上データとを第１のＰＯＳ端末の記憶部に記憶し管理する。そのため、複数のＰＯＳ端末が取得する売上データをひとつのＰＯＳ端末で記憶して管理することが可能となる。
【０００８】
（適用例２）上記適用例において、前記第１の前記ＰＯＳ端末は、前記売上データを管理するデータベースを作成するデータベース作成部を備え、前記売上データ管理部は、前記データベースに基づいて、前記第１の前記売上データと前記第２の前記売上データとを統合して、売上記録であるジャーナルデータとして前記記憶部に記憶し管理することを特徴とするＰＯＳ端末。
【０００９】
本適用例によれば、ＰＯＳ端末は、売上データを管理するデータベースを作成するデータベース作成部を備え、かつ第１の売上データ（第１のＰＯＳ端末の売上データ）と第２の売上データ（第２のＰＯＳ端末の売上データ）とを統合して記憶し管理する。そのため、複数のＰＯＳ端末にばらばらに記憶される売上データを統合して、売上記録であるジャーナルデータを記憶し管理することが可能となる。
【００１０】
（適用例３）上記適用例において、前記第１の前記ＰＯＳ端末は、前記通信部により印刷装置と通信可能に接続され、前記印刷装置に対して前記ジャーナルデータを印刷させる印刷コマンドを送信することを特徴とするＰＯＳ端末。
【００１１】
本適用例によれば、ＰＯＳ端末は、通信部を介して印刷装置に対してジャーナルデータを印刷させる印刷コマンドを送信する。そのため、ＰＯＳ端末は、印刷コマンドを送信することによって、生成するジャーナルデータを印刷装置に印刷させて紙データとして出力することができる。
【００１２】
（適用例４）上記適用例において、前記第１の前記ＰＯＳ端末は、前記通信部を介して、前記第２の前記ＰＯＳ端末に対して、前記第２の前記売上データの返信を要求する問合せコマンドを送信し、前記問合せコマンドに基づき前記第２の前記ＰＯＳ端末から返信される前記第２の前記売上データを受領することを特徴とするＰＯＳ端末。
【００１３】
本適用例によれば、第１のＰＯＳ端末は、第２のＰＯＳ端末に対して売上データの返信を要求し、返信される第２の売上データを受領する。そのため、第１のＰＯＳ端末は、適宜第２のＰＯＳ端末（他のＰＯＳ端末）から売上データを受領して、複数の売上データが統合された売上記録であるジャーナルデータの生成が可能となる。
【００１４】
（適用例５）上記適用例において、前記第２の前記売上データには、顧客ＩＤ、販売された商品名、数量、および販売日時が含まれることを特徴とするＰＯＳ端末。
【００１５】
本適用例によれば、第２の売上データには、販売相手を示す顧客ＩＤ、販売された商品名（あるいは、商品を特定する商品コードなど）、数量、および販売日時が含まれる。そのため、第１のＰＯＳ端末が、自身の取得した第１の売上データと第２の売上データとを統合して、顧客ＩＤで特定される顧客に対するジャーナルデータを生成することが可能となる。
【００１６】
（適用例６）売上データを取得するＰＯＳ端末の制御方法であって、第１の前記ＰＯＳ端末が、第２の前記ＰＯＳ端末と通信するステップと、前記第２の前記ＰＯＳ端末が取得する第２の前記売上データを、前記第２の前記ＰＯＳ端末から受領するステップと、前記第１の前記ＰＯＳ端末が取得する第１の前記売上データおよび前記第２の前記売上データを記憶部に記憶し管理するステップと、を含むことを特徴とするＰＯＳ端末の制御方法。
【００１７】
本適用例によれば、第１のＰＯＳ端末は、通信部を介して第２のＰＯＳ端末（他のＰＯＳ端末）と通信し第２のＰＯＳ端末の売上データ（第２の売上データ）を受領して、第１のＰＯＳ端末の売上データ（第１の売上データ）と第２のＰＯＳ端末の売上データとを第１のＰＯＳ端末の記憶部に記憶し管理する。そのため、複数のＰＯＳ端末が取得する売上データをひとつのＰＯＳ端末で記憶して管理することが可能となる。
【００１８】
（適用例７）売上データを取得する複数のＰＯＳ端末と、前記売上データに基づき作成されるジャーナルデータを印刷する印刷装置と、を含んで構成されるＰＯＳシステムであって、前記複数のＰＯＳ端末および前記印刷装置は、ネットワークを介して互いに通信可能に接続され、前記印刷装置は、前記複数のＰＯＳ端末の内から第１のＰＯＳ端末を指定し、前記第１のＰＯＳ端末からの印刷コマンドに基づいて前記ジャーナルデータを印刷し、前記第１のＰＯＳ端末は、前記複数のＰＯＳ端末の内の第２のＰＯＳ端末から前記売上データを取得して前記ジャーナルデータを作成することを特徴とするＰＯＳシステム。
【００１９】
本適用例によれば、ＰＯＳシステムは、複数のＰＯＳ端末とジャーナルデータを印刷する印刷装置とを含んで構成される。印刷装置によって第１のＰＯＳ端末が指定され、第１のＰＯＳ端末は、第２のＰＯＳ端末（ＰＯＳシステム内の他のＰＯＳ端末）から売上データを取得してジャーナルデータを作成する。印刷装置は、第１のＰＯＳ端末からの印刷コマンドに基づいてジャーナルデータを印刷する。そのため、複数のＰＯＳ端末が取得する売上データを第１のＰＯＳ端末で記憶して管理することが可能となる。その結果、第１のＰＯＳ端末の売上データと第２のＰＯＳ端末の売上データとが統合されたジャーナルデータを作成すること、および生成されたジャーナルデータを印刷装置に印刷させて紙データとして出力することができる。
【図面の簡単な説明】
【００２０】
【図１】本発明に係るＰＯＳシステムのシステム構成の一例を示す図。
【図２】ＰＯＳ端末の機能ブロック図。
【図３】ＰＯＳシステムとしての動作シーケンスチャート。
【図４】データベース化されたＰＯＳ端末の売上データの一例を示す表。
【図５】データベース化されたＰＯＳ端末の売上データの他の例を示す表。
【図６】特定顧客に対するジャーナルデータの一例を示す表。
【図７】総売上記録としてのジャーナルデータの一例を示す表。
【発明を実施するための形態】
【００２１】
（実施形態）
以下、本発明を適用した実施形態について図面を参照して説明する。実施形態では、レストランにおける受注システムを例に挙げて、本発明を適用したＰＯＳ端末およびＰＯＳシステムを説明する。なお、以下の説明で参照する図面では、説明および図示の便宜上、部材ないし部分の縦横の縮尺を実際のものとは異なるように表す場合がある。
【００２２】
（ＰＯＳシステムの全体構成）
まず、ＰＯＳシステム１の全体構成について、図１を参照して説明する。図１は、本発明に係るＰＯＳシステム１（以下、受注システム１と称する）のシステム構成の一例を示す図である。なお、図１には、ＰＯＳ端末１１，１２，１３の３台を図示するが、受注システム１を構成するＰＯＳ端末の数はこれに限られない。
【００２３】
受注システム１は、店員が操作する複数のＰＯＳ端末１１，１２，１３と、ＰＯＳ端末１１，１２，１３と無線通信による構内ネットワークＬＡＮを介して接続された印刷装置としてのプリンター２１，２２と、を備える。
ＰＯＳ端末１１，１２，１３は、構内ネットワークＬＡＮを介して相互に通信可能である。ＰＯＳ端末１１，１２，１３としては、例えば、タブレット端末やハンディーターミナルなどが使用される。ＰＯＳ端末１１，１２，１３は、レストランにおいてそれぞれ店員に携帯され、顧客からの注文を受ける。
プリンター２１は、会計場所に置かれた精算用のプリンターであるとともに、接続されるＰＯＳ端末１１，１２，１３の端末ＩＤを管理する。プリンター２２は、例えば、厨房などに配置されるプリンターである。
【００２４】
また、受注システム１は、インターネットなどの外部ネットワークＮＷを介して、外部サーバー５０またはクラウドサーバー６０と接続されてもよい。受注システム１が、正常に外部サーバー５０またはクラウドサーバー６０と接続されて通信可能な場合は、ＰＯＳ端末１１，１２，１３が受けた注文内容が、外部ネットワークＮＷを介して外部サーバー５０またはクラウドサーバー６０に送信されてもよい。この場合、送信された注文内容は、データ処理能力がＰＯＳ端末１１，１２，１３よりも高い外部サーバー５０またはクラウドサーバー６０で処理されて売上データとして管理され、処理された売上データは、外部サーバー５０またはクラウドサーバー６０の指示に基づいて適宜プリンター２１，２２によって印刷されてもよい。
【００２５】
ＰＯＳ端末１１，１２，１３には、店員によって、顧客からの注文内容が顧客ＩＤと共に入力される。例えば、「Ｐ番テーブルの顧客、サラダ、１個」といった注文の入力が行なわれる。入力された注文内容は、ＰＯＳ端末１１，１２，１３から、厨房に配置されたプリンター２２に送信されて印刷されるとともに、売上データとしてＰＯＳ端末１１，１２，１３に記憶される。厨房では印刷された注文内容に応じて料理などを用意し、出来上がった料理が注文した顧客に提供される。ＰＯＳ端末１１，１２，１３には、顧客から注文を受注する度に注文内容が入力されて売上データが蓄積される。
【００２６】
（ＰＯＳ端末の構成）
次に、ＰＯＳ端末１１，１２，１３の構成について、図２を参照して説明する。図２は、ＰＯＳ端末１１の機能ブロック図である。なお、ＰＯＳ端末１１，１２，１３の基本構成は同一であるため、ＰＯＳ端末１１を例に挙げて構成を説明する。
【００２７】
図２に示すように、ＰＯＳ端末１１は、制御部３１、通信部３２、記憶部３３、入力部３４、および表示部３５を備える。制御部３１、通信部３２、記憶部３３、入力部３４、および表示部３５は、例えばデータバスなどで接続され、相互にデータの交換が可能である。
【００２８】
制御部３１は、ＣＰＵ（Central  Processing  Unit）、ＲＯＭ（Read  Only  Memory）及びＲＡＭ（Random  Access  Memory）を含み、ＲＯＭに書込まれたプログラムに基づいて、通信部３２、記憶部３３、入力部３４、および表示部３５を制御する。制御部３１は、プログラムによって実行される売上データ受領部４１、データベース作成部４２、および売上データ管理部４３を備える。制御部３１は、第２のＰＯＳ端末（本実施形態ではＰＯＳ端末１２，１３の２台であるが、台数はこれに限られない）に対して、そのＰＯＳ端末が記憶する売上データの返信を要求する問合せコマンドを送信する。また、制御部３１は、プリンター２１，２２に印刷を実行させる印刷コマンドを送信する。
【００２９】
売上データ受領部４１は、問合せコマンドに基づいて他のＰＯＳ端末から送られる売上データを受領する制御を行う。
【００３０】
データベース作成部４２は、自身の売上データおよび他のＰＯＳ端末から送られる売上データを、それぞれ所定のフォーマットに基づいてデータベース化して記憶部３３に記憶させる。詳細は後述するが、所定のフォーマットは、例えば、図４および図５に示すような形態でもよい。
【００３１】
売上データ管理部４３は、入力部３４および表示部３５を制御して、外部から入力される自身の売上データの取得を行う。また、問合せコマンドを受信した場合は、自身の売上データを問合せコマンドの送信元のＰＯＳ端末に返信する。さらに、記憶部３３に記憶される自身の売上データおよび他のＰＯＳ端末の売上データを統合し、売上記録であるジャーナルデータを生成して記憶部３３に記憶させる。
【００３２】
通信部３２は、ＰＯＳ端末１１を構内ネットワークＬＡＮと通信可能に接続するためのインターフェイスである。
【００３３】
記憶部３３は、例えば半導体メモリーで構成され、前述の通りデータベース化された自身の売上データ、他のＰＯＳ端末から送られる売上データ、およびジャーナルデータを記憶するメモリーである。
【００３４】
入力部３４は、例えば、キーボード、タッチパネル、あるいはトラックボールなどの入力装置を備える。店員は、入力装置を使用して顧客からの注文内容をＰＯＳ端末１１に入力する。
【００３５】
表示部３５は、例えば液晶パネルであり、ＰＯＳ端末１１に入力される顧客ＩＤおよび商品情報の表示や操作指示などの表示を行う。
【００３６】
（ＰＯＳ端末およびＰＯＳシステムの動作）
次に、図３から図７を参照して、ＰＯＳ端末１１，１２，１３の動作およびＰＯＳ端末１１，１２，１３を備えた受注システム１の動作について説明する。
図３は、受注システム１（ＰＯＳシステム１）の動作シーケンスチャートである。
図４は、データベース化されたＰＯＳ端末の売上データの一例を示す表であり、具体的には、第１の売上データとしてのＰＯＳ端末１１の売上データを示す。
図５は、データベース化されたＰＯＳ端末の売上データの他の例を示す表であり、具体的には、第２の売上データとしてのＰＯＳ端末１２の売上データを示す。
図６は、特定顧客に対するジャーナルデータの一例を示す表であり、具体的には、顧客Ｐに対して集計された売上記録である。
図７は、総売上記録としてのジャーナルデータの一例を示す表である。具体的には、受注システム１を構成するすべてのＰＯＳ端末（ＰＯＳ端末１１，１２，１３）に記憶される売上データを統合して、精算日時の順に精算金額を並べた売上履歴を示す。
【００３７】
図３は、時間ｔに沿って、店員Ａが携帯するＰＯＳ端末１１、店員Ｂが携帯するＰＯＳ端末１２、会計場所に置かれた精算用のプリンター２１、および厨房に配置されたプリンター２２が動作するステップを示す。なお、本実施形態において、ＰＯＳ端末１３はＰＯＳ端末１２と同等の動作を行うため、便宜上ＰＯＳ端末１３の動作の説明は省略して、以下、図３の各ステップに沿って受注システム１の動作を説明する。
【００３８】
まず、時間ｔ１において、ＰＯＳ端末１１，１２およびプリンター２１，２２の電源が入れられる。受注システム１の各構成要素の電源が入れられると、最初に、構内ネットワークＬＡＮを構築するための動作が実行される。
【００３９】
ステップＳ１１：ＰＯＳ端末１１は、自身に割り当てられたＩＰアドレスなどの端末ＩＤをプリンター２１に送信する。前述の通り、プリンター２１は、会計場所に置かれた精算用のプリンターであるとともに、接続されるＰＯＳ端末１１，１２，１３の端末ＩＤを管理する機能を備える。
【００４０】
ステップＳ２１：ＰＯＳ端末１２も、ＰＯＳ端末１１と同様に、自身に割り振られた端末ＩＤをプリンター２１に送信する。
【００４１】
ステップＳ３１：プリンター２１は、受注システム１上に存在するＰＯＳ端末１１およびＰＯＳ端末１２の端末ＩＤを受信して記憶した後、所定のルールに則ってホスト端末（第１のＰＯＳ端末）を決定する。本実施形態においては、時間的に最も早くプリンター２１に端末ＩＤを送信したＰＯＳ端末１１をホスト端末とする。次に、プリンター２１は、ＰＯＳ端末１２の端末ＩＤ（受注システム１上に存在するＰＯＳ端末１１以外のすべてのＰＯＳ端末の端末ＩＤ）とともにホスト端末であることを指示するコマンドをＰＯＳ端末１１に送信する。
【００４２】
ステップＳ１２：ＰＯＳ端末１１は、プリンター２１からホスト端末であることを指示するコマンドを受信すると、以降ホスト端末としての動作を行う。詳細は後述するが、第１のＰＯＳ端末としてのホスト端末（ここでは、ＰＯＳ端末１１）は、第２のＰＯＳ端末としての他のＰＯＳ端末（ここでは、ＰＯＳ端末１２）に対して売上データの返信を要求する問合せコマンドの送信を行う。さらに、ホスト端末は、複数のＰＯＳ端末の売上データが統合された売上記録であるジャーナルデータの作成およびプリンター２１に対してジャーナルデータを印刷させる印刷コマンドの送信などを行う役割を担う。
【００４３】
以上の各ステップによって、構内ネットワークＬＡＮが構築される。構内ネットワークＬＡＮが構築されると、ＰＯＳ端末１１，１２，１３は、それぞれ顧客からの注文内容が入力可能となる。
【００４４】
ステップＳ２２：ＰＯＳ端末１２は、店員Ｂによって顧客Ｑの注文内容が入力される。具体的には、店員Ｂは、ＰＯＳ端末１２の表示部３５の表示を確認しながら入力部３４を使用して注文内容を入力する。ＰＯＳ端末１２は、データベース作成部４２によって、入力された注文内容を、顧客Ｑの顧客ＩＤおよび販売日時とともに売上データのデータベース（図５参照）として作成する。さらに、ＰＯＳ端末１２は、売上データのデータベースを記憶部３３に蓄積するとともに、注文内容を印刷させる印刷コマンドを厨房に配置されたプリンター２２に送信する。
ステップＳ４１：厨房のプリンター２２は、受信した印刷コマンドに基づいて注文内容を印刷する。
【００４５】
ステップＳ１３：ＰＯＳ端末１１は、店員Ａによって顧客Ｐの注文内容が入力される。ＰＯＳ端末１１は、ステップＳ２２におけるＰＯＳ端末１２と同様に、注文内容を、顧客Ｐの顧客ＩＤおよび販売日時を含めてデータベース化して記憶部３３に蓄積するとともに、注文内容を印刷させる印刷コマンドをプリンター２２に送信する。
ステップＳ４２：プリンター２２は、受信した印刷コマンドに基づいて注文内容を印刷する。
【００４６】
ステップＳ２３：ＰＯＳ端末１２は、ステップＳ２２と同様に、顧客Ｐの注文内容を記憶部３３に蓄積するとともに、注文内容を印刷させる印刷コマンドをプリンター２２に送信する。
ステップＳ４３：プリンター２２は、受信した印刷コマンドに基づいて注文内容を印刷する。
ステップＳ１４：ＰＯＳ端末１１は、ステップＳ１３と同様に、顧客Ｐの注文内容を記憶部３３に蓄積するとともに、注文内容を印刷させる印刷コマンドをプリンター２２に送信する。
ステップＳ４４：プリンター２２は、受信した印刷コマンドに基づいて注文内容を印刷する。
【００４７】
以上の各ステップによって、ＰＯＳ端末１１の記憶部３３には、図４の表に示すように、ステップＳ１３の注文内容（１行目）とステップＳ１４の注文内容（２行目）とが蓄積された売上データのデータベースが作成される。同様に、ＰＯＳ端末１２の記憶部３３には、図５の表に示すように、ステップＳ２２の注文内容（１行目）とステップＳ２３の注文内容（２行目）とが蓄積された売上データのデータベースが作成される。
【００４８】
ステップＳ１５：所定のタイミングｔ２において、ホスト端末であるＰＯＳ端末１１は、ＰＯＳ端末１２に対して、記憶する売上データの返信を要求する問合せコマンドを送信する。具体的には、所定のタイミングｔ２は、例えば１５分毎といった定期的なタイミングおよび顧客から精算要求があった時であり、制御部３１が、通信部３２を介して問合せコマンドをＰＯＳ端末１２に送信する。
【００４９】
ステップＳ２４：ＰＯＳ端末１２の売上データ管理部４３は、ＰＯＳ端末１１から送信される問合せコマンドに対応して、通信部３２を介して、自身の記憶するデータベース（図５）から売上データをＰＯＳ端末１１に返信する。本実施形態においては、記憶されるデータベース内のすべての情報である販売日時、顧客ＩＤ、商品名、および数量を売上データとして返信する。
【００５０】
ステップＳ１６：ＰＯＳ端末１１の売上データ受領部４１は、通信部３２を介してＰＯＳ端末１２から返信された売上データを受領して、データベース作成部４２に売上データを受け渡す。データベース作成部４２は、受領した売上データを、所定のフォーマットに基づいてデータベース化して記憶部３３に記憶させる。本実施形態においては、ＰＯＳ端末１２から記憶するデータベース内のすべての情報（顧客ＩＤ、商品名、数量、および販売日時）が売上データとして返信されるため（つまり、売上データのデータベースがそのまま返信されるため）、データベース作成部４２は、受領した売上データのデータベースを、そのまま記憶部３３に記憶させる。
【００５１】
ステップＳ１７：ＰＯＳ端末１１の売上データ管理部４３は、記憶部３３に記憶される自身の売上データおよびＰＯＳ端末１２の売上データを統合し、売上記録であるジャーナルデータを生成する。具体的には、顧客Ｐに対して集計された売上記録としてのジャーナルデータ（図６参照）および総売上記録としてのジャーナルデータ（図７参照）を生成する。
図６に示すように、顧客Ｐに対するジャーナルデータは、ＰＯＳ端末１１の売上データ（図４参照）およびＰＯＳ端末１２の売上データ（図５参照）から顧客Ｐに関する売上げを抽出して、販売日時順に整列させたものである。つまり、図６のジャーナルデータの１行目は図４の１行目の売上データ、２行目は図５の２行目の売上データ、そして３行目は図４の２行目の売上データに対応する。顧客Ｐに対するジャーナルデータ（図６）には、さらに、ＰＯＳ端末１１が商品毎の単価データを基に算出する顧客Ｐに対する売上げと総計が含まれる。さらに、その後顧客Ｐの精算が完了すると、会計場所のプリンター２１からの情報を受けて（不図示）、顧客Ｐの精算時間と精算金額（最終的な総計）とが、顧客Ｐに対するジャーナルデータに追加される（図６の４行目）。
図７に示すように、総売上記録としてのジャーナルデータは、顧客毎の精算日時と精算金額をリスト化された販売履歴である。つまり、図７のジャーナルデータの１行目は、図６に示す顧客Ｐの精算日時と精算金額（図６の４行目に対応）、そして２行目は、顧客Ｑの精算日時と精算金額（不図示）である。以降図示はしないが、顧客毎の精算日時と精算金額を蓄積してリスト化し総売上記録（販売履歴）としてのジャーナルデータを作成する。
ＰＯＳ端末１１は、作成した各ジャーナルデータを、自身の記憶部３３に記憶する。
【００５２】
ステップＳ１８：ＰＯＳ端末１１の制御部３１は、ジャーナルデータを印刷させる印刷コマンドをプリンター２１に送信する。具体的には、顧客の精算要求が入力部３４から入力された場合は、特定顧客に対するジャーナルデータ（図６参照）から売り上げの明細と総計を印刷させる印刷コマンドをプリンター２１に送信する。また、レストランとしての売上履歴を要求された場合は、総売上記録としてのジャーナルデータ（図７参照）を印刷させる印刷コマンドをプリンター２１に送信する。
【００５３】
ステップＳ３２：プリンター２１は、ＰＯＳ端末１１から送信される印刷コマンドに基づいてジャーナルデータを印刷し、紙データとして出力する。
【００５４】
（作用効果）
上述のように、本実施形態によれば、ＰＯＳ端末１１（第１のＰＯＳ端末）が、ＰＯＳ端末１２，１３（第２のＰＯＳ端末）から売上データを取得して、顧客毎の明細を含むジャーナルデータおよび店舗の売上履歴を示す総売上記録としてのジャーナルデータを作成してプリンター２１に印刷させることができる。そのため、外部サーバーまたはクラウドサーバーとＰＯＳ端末とが通信不能になった場合でも、個々のＰＯＳ端末１１，１２，１３が記憶する売上データを統合的に管理することができる。その結果、レストランでの会計時に、顧客を待たせることなく、スタッフの負担も発生させないで、その顧客に対する売上記録（集計された売上データ）としてのジャーナルデータを容易に得ることができる。また、レストランの総売上記録（売上履歴）としてのジャーナルデータの作成も可能となる。
【００５５】
以上、本発明の実施形態を説明したが、本発明の主旨を逸脱しない範囲において、例えば下記のように、様々な変形が可能である。
【００５６】
（変形例１）
本実施形態では、受注システム１（ＰＯＳシステム１）は、外部ネットワークＮＷを介して、外部サーバー５０またはクラウドサーバー６０と接続されてもよいとした。しかしながら、受注システム１は、単体でも課題の解決が可能であるため、外部ネットワークＮＷを接続せずにスタンドアローンのシステムとして稼動されてもよい。
【００５７】
（変形例２）
本実施形態では、図３のステップＳ３１において、プリンター２１は、時間的に最も早くプリンター２１に端末ＩＤを送信したＰＯＳ端末１１を、第１のＰＯＳ端末としてのホスト端末に決定した。しかしながら、第１のＰＯＳ端末を決定するルールは、これに限られない。例えば、ＰＯＳ端末１１，１２，１３にあらかじめ優先順位を割り振っておき、受注システム１内で最も優先順位の高いＰＯＳ端末を第１のＰＯＳ端末（ホスト端末）に決定してもよい。
【００５８】
（変形例３）
顧客が精算をする時にその顧客に対するジャーナルデータをプリンター２１に印刷させる場合は、会計場所にあるプリンター２１が、特定顧客に対するジャーナルデータの印刷コマンドを要求する印刷指示要求を第１のＰＯＳ端末に送信してもよい。第１のＰＯＳ端末は、プリンター２１からの印刷指示要求に基づいて、特定顧客に対するジャーナルデータを印刷させる印刷コマンドをプリンター２１に送信する。
【００５９】
（変形例４）
図３のステップＳ２４で返信される売上データは、データベース内の一部の情報であってもよい。それによって、返信される売上データが削減されるため、ＰＯＳ端末同士の通信時間が短縮でき、第１のＰＯＳ端末の使用記憶量を少なくすることができる。
また、返信される売上データにどのような情報を含ませるかは、受注システム１の構築時に、例えば、プリンター２１からＰＯＳ端末１１，１２，１３に設定指示が送信されるようにしてもよい。
【００６０】
（変形例５）
図７で一例を示した総売上記録としてのジャーナルデータは、図７の例に限られない。例えば、図６に示すようなすべての売上げ明細を販売時間順にリスト化した販売履歴を示す総売上記録としてのジャーナルデータとしてもよい。
【符号の説明】
【００６１】
１…受注システム（ＰＯＳシステム）、１１…ＰＯＳ端末、１２…ＰＯＳ端末、１３…ＰＯＳ端末、２１…プリンター、２２…プリンター、３１…制御部、３２…通信部、３３…記憶部、３４…入力部、３５…表示部、４１…売上データ受領部、４２…データベース作成部、４３…売上データ管理部、５０…外部サーバー、６０…クラウドサーバー、ＮＷ…外部ネットワーク、ＬＡＮ…構内ネットワーク。
【図１】
2017102703.tif 000003
【図２】
2017102703.tif 000004
【図３】
2017102703.tif 000005
【図４】
2017102703.tif 000006
【図５】
2017102703.tif 000007
【図６】
2017102703.tif 000008
【図７】
2017102703.tif 000009